【手続補正書】
【提出日】平成20年7月24日(2008.7.24)
【手続補正１】
【補正対象書類名】明細書
【補正対象項目名】特許請求の範囲
【補正方法】変更
【補正の内容】
【特許請求の範囲】
【請求項１】 タービンエンジンのためのタービン冷却部品（４２２）であって、
（ａ）円周状の前縁（４４６）と、
（ｂ）前記前縁（４４６）から離れた円周状の後縁（４４８）と、
（ｃ）前記後縁及び前記前縁（４４８、４４６）に接続され、背面（４５１）及び、タービン部品（４２２）の前記前縁（４４６）から前記後縁（４４８）の方向に移動するタービンエンジンの主高温ガス流（４２０）と接触する弧状の内面（４５３）を有する弧状のベース（４４４）と、
（ｄ）前記前縁及び前記後縁（４４６、４４８）に接続され、各々が、前部（４８３）、中央部（４８０）及び後部（４８７）を有する、間隔を置いて対向配置された一対のサイドパネル（４５０）と、
（ｅ）前記背面（４５１）から前記ベース（４４４）を貫通して延び、前記前縁（４４６）、前記サイドパネル（４５０）、及び前記ベース（４４４）の内面（４５３）のうちの少なくとも１つから出ている出口（４８８、４８９）を有する、複数の冷却空気通路（４８０）と、
を備え、
（ｆ）各々のサイドパネル（４５０）の前記前部又は前記中央部（４８３、４８５）から出る出口（４８８、４８９）を有する前記複数の冷却空気通路（４８０）の全ては、前記冷却空気通路からの冷却空気が主高温ガス流（４２０）と向かい合う方向に出るように、斜めにされており、
（ｇ）前記複数の冷却空気通路（４８０）の少なくとも１つが、各々のサイドパネル（４５０）の前記中央部（４８５）から出る出口（４８８、４８９）を有し、
（ｈ）前記サイドパネル（４５０）の前記前部（４８３）から前記後部（４８５）に延びるようにスプラインシールスロット（４９２）が形成され、前記スロット（４９２）は、前記サイドパネル（４５０）の少なくとも中央部（４８５）において、少なくとも前記サイドパネル（４５０）の中央部（４８５）から出ている前記冷却空気通路（４８０）の出口（４８８、４８９）の上方で該出口を横切るハンプ状部分（４９８）を有する、
ことを特徴とするタービン部品（４２２）。
【請求項２】 前記複数の冷却空気通路（４８０）の少なくとも２つが、各々のサイドパネル（４５０）の前記前部又は前記中央部（４８３、４８５）から出る出口（４８８、４８９）を有することを特徴とする請求項１に記載のタービン部品（４２２）。
【請求項３】 各々のサイドパネル（４５０）の前記前部又は前記中央部（４８３、４８５）から出ている前記冷却空気通路（４８０）の出口（４８８、４８９）は、一方のサイドパネル（４５０）から出ている前記冷却空気通路（４８０）の出口が、他方のサイドパネル（４５０）から出ている前記冷却空気通路（４８０）の出口（４８８、４８９）に対して互い違いになるように、間隔を置いて配置されることを特徴とする請求項２に記載のタービン部品（４２２）。
【請求項４】 前記ハンプ状部分（４９８）を有している前記スロット（４９２）が、前記サイドパネル（４５０）の底部にあることを特徴とする請求項３に記載のタービン部品（４２２）。
【請求項５】 底部スロット（４９２）の前記ハンプ状部分（４９８）が、前記サイドパネル（４５０）から出ている前記冷却通路（４８０）の出口（４８８、４８９）に達する前に上方に弯曲し、前記サイドパネル（４５０）から出ている前記冷却空気通路（４８０）の全ての出口（４８８、４８９）の上方で該出口を横切るように延び、次いで、前記サイドパネル（４５０）から出ている前記冷却空気通路（４８０）の全ての出口（４８８、４８９）を通り過ぎたところで下方に弯曲することを特徴とする請求項４に記載のタービン部品（４２２）。
【請求項６】 タービンエンジンのタービン冷却サブ組立体（５００）であって、
（ａ）各々が、（１）円周状の前縁（４４６）と、
（２）前記前縁（４４６）から離れた円周状の後縁（４４８）と、
（３）前記後縁及び前記前縁（４４８、４４６）に接続され、背面（４５１）及び、タービン部品（４２２）の前記前縁（４４６）から前記後縁（４４８）の方向に移動するタービンエンジンの主高温ガス流（４２０）と接触する弧状の内面（４５３）を有する弧状のベース（４４４）と、
（４）前記前縁及び前記後縁（４４６、４４８）に接続され、各々が、前部（４８３）、中央部（４８０）及び後部（４８７）を有する、間隔を置いて対向配置された一対のサイドパネル（４５０）と、
（５）前記背面（４５１）から前記ベース（４４４）を貫通して延び、前記前縁（４４６）、前記サイドパネル（４５０）、及び前記ベース（４４４）の内面（４５３）のうちの少なくとも１つから出ている出口（４８８、４８９）を有する、複数の冷却空気通路（４８０）と、
を備え、
（６）各々のサイドパネル（４５０）の前記前部又は前記中央部（４８３、４８５）から出る出口（４８８、４８９）を有する前記複数の冷却空気通路（４８０）の全ては、前記冷却空気通路からの冷却空気が主高温ガス流（４２０）と向かい合う方向に出るように、斜めにされており、
（７）前記複数の冷却空気通路（４８０）の少なくとも１つが、各々のサイドパネル（４５０）の前記中央部（４８５）から出る出口（４８８、４８９）を有する、一対の隣接するタービン冷却部品を含み、
（ｂ）対になっているシュラウドセグメント（４５０）の対向して隣接するサイドパネル（４５０）が、それらの間に隙間（５０２）を有し、隣接するサイドパネル（４５０）の各々から出ている冷却空気通路（４８０）の出口（４８８、４８９）は、隣接するパネル（４５０）の一方から出ている各々の冷却空気通路（４８０）の出口（４８８、４８９）が、隣接するパネル（４５０）の他方から出ている冷却空気通路（４８０）の出口（４８８、４８９）と直接向かい合わないように、間隔を置いて配置され、
（ｃ）対になっているシュラウドセグメント（４２２）の対向して隣接するサイドパネル（４５０）の各々には、該サイドパネル（４５０）の前記前部（４８３）から前記後部（４８５）に延びるようにスプラインシールスロット（４９２）が形成され、前記スロット（４９２）は、該サイドパネル（４５０）の少なくとも中央部（４８５）において、少なくとも前記サイドパネル（４５０）の中央部（４８５）から出ている前記冷却空気通路（４８０）の出口（４８８、４８９）の上方で該出口を横切るハンプ状部分（４９８）を有し、
（ｄ）対向して隣接する前記サイドパネル（４５０）の間の前記隙間（５０２）に少なくとも１つのスプラインシール（５０４）が配置され、該スプラインシール（５０４）は、間隔をもって位置する一対の縁部（５０８）を備え、各々の縁部（５０８）が隣接するサイドパネル（４５０）の一方の前記スロット（４９２）に受け入れられることが可能な長さ及び厚さを有する、
ことを特徴とするタ−ビンサブ組立体。
【請求項７】 前記複数の冷却空気通路（４８０）の少なくとも２つが、隣接するサイドパネル（４５０）の各々の前記前部又は前記中央部（４８３、４８５）から出る出口（４８８、４８９）を有することを特徴とする請求項６に記載のタービンサブ組立体（５００）。
【請求項８】 前記ハンプ状部分（４９８）を有する前記スロット（４９２）が、隣接するサイドパネル（４５０）の各々の底部にあることを特徴とする請求項７に記載のタービンサブ組立体（５００）。
【請求項９】 底部スロット（４９２）の前記ハンプ状部分（４９８）が、各々の隣接するサイドパネル（４５０）から出ている前記冷却空気通路（４８０）の出口（４８８、４８９）に達する前に上方に弯曲し、各々の隣接する前記サイドパネル（４５０）から出ている前記冷却空気通路（４８０）の全ての出口（４８８、４８９）の上方で該出口を横切るように延び、次いで、各々の隣接する前記サイドパネル（４５０）から出ている前記冷却空気通路（４８０）の全ての出口（４８８、４８９）を通り過ぎたところで下方に弯曲することを特徴とする請求項８に記載のタービンサブ組立体（５００）。
【請求項１０】 各々の隣接するサイドパネル（４５０）が更に、前記底部スロット（４９２）から離れた上方に位置し、各々の隣接するサイドパネル（４５０）の前記前部（４８３）のほぼ始端から前記後部（４８７）のほぼ終端まで全体的に延びている上部スプラインシールスロット（４９４）を有し、前記少なくとも１つのスプラインシールは、間隔をもって位置する一対の縁部（５１０）を備え、各々の縁部（５１０）が前記隣接するサイドパネル（４５０）の一方の前記上部スロット（４９４）に受け入れられることが可能な長さ及び厚さである上部スプラインシール（５０６）を含む、ことを特徴とする請求項９に記載のタービンサブ組立体（５００）。